(57)【要約】【課題】撮像画像の品質を向上させる技術を提供する。【解決手段】車両に搭載して用いられる撮像装置１であって、撮像素子１１と、撮像素子１１に到達する光の経路上に配置される、第１レンズ２１、第２レンズ２２、第３レンズ２３、第４レンズ２４、第５レンズ２５、ＩＲカットフィルタ２６、及びカバーガラス２７と、ハウジング１２と、を備える。そして、この撮像装置１は、上述したレンズの表面の少なくとも一部にモスアイ構造を有し、またＩＲカットフィルタ２６、及びカバーガラス２７の表面の少なくとも一部にモスアイ構造４１を有する。【選択図】図１
2018077304.tif 000002
【特許請求の範囲】
【請求項１】
車両に搭載して用いられる撮像装置（１）であって、
被写体を撮像して画像信号を出力するように構成された撮像素子（１１）と、
少なくとも１つのレンズを含み、前記撮像素子に到達する光の経路上に配置される複数の透過部材（２１、２２、２３、２４、２５、２６、２７）と、
前記撮像素子と前記複数の透過部材とを保持するように構成されたハウジング（１２）と、を備え、
前記複数の透過部材のうちの少なくとも１つの表面の少なくとも一部にモスアイ構造（４１、４２、４３、４４、４５、７４、８３、９１、１０３）を有する、撮像装置。
【請求項２】
請求項１に記載の撮像装置であって、
前記複数の透過部材のうちの少なくとも１つは、前記光の入射面及び出射面の少なくともいずれか一方に平面形状である平面部を有しており、前記平面部の少なくとも一部にモスアイ構造を有する、撮像装置。
【請求項３】
請求項１又は請求項２に記載の撮像装置であって、
前記少なくとも１つのレンズの表面における曲面形状である部分にモスアイ構造を有する、撮像装置。
【請求項４】
請求項１から請求項３までのいずれか１項に記載の撮像装置であって、
前記複数の透過部材における、前記光が通過する順に並ぶ２つの前記透過部材の少なくとも１組は、向かい合う２つの面がいずれも平面形状であり、かつ、前記２つの面が平行であり、
前記向かい合う２つの面の少なくとも一部にモスアイ構造を有する、撮像装置。
【請求項５】
請求項１から請求項４までのいずれか１項に記載の撮像装置であって、
前記複数の透過部材のうちの少なくとも１つは、当該複数の透過部材の表面における前記撮像素子に到達する光の経路となる部分の少なくとも一部において、前記モスアイ構造を有する、撮像装置。
【請求項６】
請求項１から請求項５までのいずれか１項に記載の撮像装置であって、
前記少なくとも１つのレンズのうちの少なくとも１つは、レンズキャップ及び間隔環のうちの少なくともいずれかと当接しており、前記レンズキャップ及び前記間隔環が当接しない部分の少なくとも一部において前記モスアイ構造を有する、撮像装置。
【請求項７】
請求項１から請求項６までのいずれか１項に記載の撮像装置であって、
前記少なくとも１つのレンズのうちの少なくとも１つは、平板状のガラスと、該ガラスの表面に配置される樹脂製のレンズ部材と、を含み、前記レンズ部材に前記モスアイ構造を有する、撮像装置。
【請求項８】
請求項１から請求項６までのいずれか１項に記載の撮像装置であって、
前記少なくとも１つのレンズのうちの少なくとも１つは、ガラスにより形成されたレンズであり、前記光の入射面及び出射面の少なくともいずれか一方の表面に、モスアイ構造が形成された樹脂膜が配置されている、撮像装置。
【請求項９】
請求項１から請求項６までのいずれか１項に記載の撮像装置であって、
前記少なくとも１つのレンズのうちの少なくとも１つは、前記光の入射面及び出射面の少なくともいずれか一方の表面は曲面形状であって、該表面に、当該レンズの本体部分よりも柔軟性の高い樹脂によりモスアイ構造が形成されている、撮像装置。
【請求項１０】
請求項１から請求項６までのいずれか１項に記載の撮像装置であって、
前記少なくとも１つのレンズのうちの少なくとも１つは、樹脂により形成されたレンズであり、該レンズの表面に該レンズと一体に形成されたモスアイ構造を有する、撮像装置。
【請求項１１】
車両に搭載されて用いられる撮像装置（１）であって、
被写体を撮像して画像信号を出力するように構成された撮像素子（１１）と、
前記撮像素子に到達する光の経路上に配置される少なくとも１つのレンズ（２１、２２、２３、２４、２５）と、
前記撮像素子に到達する光の経路を囲うように配置される、鏡筒及び間隔環のうちの少なくとも１つ（１６、３１）と、
前記撮像素子と、前記少なくとも１つのレンズと、前記鏡筒及び間隔環のうちの少なくとも１つと、を保持するように構成されたハウジング（１２）と、を備え、
前記鏡筒及び間隔環のうちの少なくとも１つの内側面にモスアイ構造（１１１）を有する、撮像装置。
【発明の詳細な説明】
【技術分野】
【０００１】
本発明は、被写体を撮像する撮像装置に関する。
【背景技術】
【０００２】
複数のレンズを用いる撮像装置では、撮像画像の品質向上のため、レンズ間の光の反射によって発生するゴースト、フレアなどを抑制することが望まれる。特許文献１では、レンズに低反射コーティングを施す技術が提案されている。
【先行技術文献】
【特許文献】
【０００３】
【特許文献１】特開２００５−３０１１７２号公報
【発明の概要】
【発明が解決しようとする課題】
【０００４】
しかしながら、反射防止コーティングでは反射を抑制する機能が十分でなく、ゴーストやフレアの低減が十分ではない場合がある。撮像装置が車両に搭載される場合には、太陽光、対向車のヘッドライト、先行車のテールランプ、街灯などのゴーストやフレアの発生源となる対象物が多く存在する範囲を撮影する必要があるため、撮像画像の品質が低下してやすいという問題があった。
【０００５】
本開示は、撮像画像の品質を向上させる技術を提供する。
【課題を解決するための手段】
【０００６】
本開示の第１の態様は、車両に搭載して用いられる撮像装置（１）であって、撮像素子（１１）と、複数の透過部材（２１、２２、２３、２４、２５、２６、２７）と、ハウジング（１２）と、を備える。撮像素子は、被写体を撮像して画像信号を出力するように構成されている。複数の透過部材は、少なくとも１つのレンズを含み、上記撮像素子に到達する光の経路上に配置される。ハウジングは、上記撮像素子と上記複数の透過部材とを保持するように構成されている。そして、この撮像装置は、上記複数の透過部材のうちの少なくとも１つの表面の少なくとも一部にモスアイ構造（４１、４２、４３、４４、４５、７４、８３、９１、１０３）を有する。
【０００７】
このような構成によれば、モスアイ構造によって透過部材の表面における光の反射を抑制できるため、撮像素子により出力される画像信号に示される被写体の撮像画像を、ゴーストやフレアの抑制された品質の高い撮像画像とすることができる。
【０００８】
本開示の第２の態様は、車両に搭載して用いられる撮像装置（１）であって、撮像素子（１１）と、少なくとも１つのレンズ（２１、２２、２３、２４、２５）と、鏡筒及び間隔環のうちの少なくとも１つ（１６、３１）と、ハウジング（１２）と、を備える。撮像素子は、被写体を撮像して画像信号を出力するように構成されている。上記少なくとも１つのレンズは、上記撮像素子に到達する光の経路上に配置される。ハウジングは、上記撮像素子と、少なくとも１つのレンズと、鏡筒及び間隔環のうちの少なくとも１つと、を保持するように構成されている。そしてこの撮像装置は、上記鏡筒及び間隔環のうちの少なくとも１つの内側面にモスアイ構造（１１１）を有する。
【０００９】
このような構成によれば、モスアイ構造によって鏡筒及び間隔環のうちの少なくとも１つの内側面において光の反射を抑制できるため、撮像素子により出力される画像信号に示される被写体の撮像画像を、ゴーストやフレアの抑制された品質の高い撮像画像とすることができる。
【００１０】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【００１１】
【図１】撮像装置全体を示す断面図である。
【図２】撮像装置の前方部分の上方を示す断面図である。
【図３】撮像装置全体を示す断面図であって、撮像素子に到達する光の経路の範囲を模式的に示したものである。
【図４】撮像装置の前方部分の上方を示す断面図である。
【図５】レンズの一例の構成を説明する模式的な側面図である。
【図６】レンズの一例の構成を説明する模式的な側面図である。
【図７】撮像装置の前方部分の上方を示す断面図である。
【図８】レンズの成型方法を説明するための側面図である。
【発明を実施するための形態】
【００１２】
以下、図面を参照しながら、発明を実施するための形態を説明する。
［１．実施形態］
［１−１．全体構成］
図１に示す撮像装置１は、自動車、鉄道車両などの車両に搭載して用いられるものである。なお、以下の説明においては、撮像装置１を基準として被写体が存在する方向を前方とし、被写体を基準として撮像装置１が存在する方向を後方として説明する。この前後方向は説明の便宜上用いるに過ぎず、撮像装置１の使用態様や構成に何らの制限を及ぼすものではない。
【００１３】
撮像装置１は、被写体を撮像して、撮像画像を示す画像信号を出力するように構成された撮像素子１１と、撮像素子１１に到達する光の経路上に配置される第１レンズ２１、第２レンズ２２、第３レンズ２３、第４レンズ２４、第５レンズ２５、ＩＲカットフィルタ２６、及びカバーガラス２７と、撮像素子１１に到達する光の経路を囲うように配置される、第１間隔環３１、第２間隔環３２、及び第３間隔環３３と、リテーナー１６と、ハウジング１２と、を有する。
【００１４】
なお、上述した光の経路とは、被写体から撮像素子１１まで到達する光が通過する領域を意味する。
撮像素子１１は、電子回路基板１３に取り付けられている。上述したカバーガラス２７は撮像素子１１の前方の表面に配置されている。
【００１５】
上述した複数のレンズ及び複数の間隔環はレンズバレル１４に取り付けられている。レンズバレル１４には、撮像装置１の前方から順に、第１レンズ２１、第１間隔環３１、第２レンズ２２、第２間隔環３２、第３レンズ２３、第４レンズ２４、第３間隔環３３、第５レンズ２５の順に配置される。それらの部品は、レンズバレル１４の前方からレンズバレル１４に取り付けられるレンズキャップ１５と、レンズバレル１４の後方からレンズバレル１４に取り付けられるリテーナー１６と、により固定される。リテーナー１６が、鏡筒に相当する。
【００１６】
第１レンズ２１は、前方の面の方が曲率の小さい凹メニスカスレンズである。第２レンズ２２は、前方の面が曲率を有する平凸レンズである。第３レンズ２３は、後方の面が曲率を有する平凹レンズである。第４レンズ２４は、前方の面の方が曲率の小さい両凸レンズである。第５レンズ２５は、前方の面の方が曲率の大きい両凸レンズである。
【００１７】
ＩＲカットフィルタ２６は、平らな板状のフィルタである。カバーガラス２７は、平らな板状のガラスである。
なお上述した各レンズ、ＩＲカットフィルタ２６、及びカバーガラス２７は、前方の面が、光が内部に進入する面である入射面であり、後方の面が、光が外部へ出る面である出射面である。
【００１８】
ハウジング１２は、電子回路基板１３及びレンズバレル１４を保持しており、それにより、上述した各レンズ、各間隔環、リテーナー１６、及び撮像素子１１を保持する。またハウジング１２はＩＲカットフィルタ２６を第５レンズ２５とカバーガラス２７の間において保持する。
【００１９】
なお、上述した各レンズ、ＩＲカットフィルタ２６、及びカバーガラス２７が透過部材に相当する。以下の説明において、これらを単に透過部材とも記載する。
撮像装置１は、上述した透過部材のうちの少なくとも１つの表面にモスアイ構造を有している。モスアイ構造とは、微小な凹凸形状を有しており、マクロ的に徐々に入射光に対する屈折率を変化させることで光の反射を抑制する構造である。
【００２０】
以下に、撮像装置１におけるモスアイ構造の配置について以下に説明する。なお、図１〜図８において、モスアイ構造は模式的に示されたものである。つまり、他の要素との大きさの比率やその形状には正確なものではない。
【００２１】
［１−２．モスアイ構造の配置］
モスアイ構造の配置の例について例を挙げて説明する。なお撮像装置１は、以下に説明するモスアイ構造を配置可能な全ての対象物においてモスアイ構造を有している必要は無く、少なくとも１つの対象物においてモスアイ構造を有しておればよい。また、モスアイ構造を有している部分は、例示される対象物の表面の全面であってもよいし、一部分であってもよい。
【００２２】
＜平面へのモスアイ構造の配置＞
上述した複数の透過部材のうち、光の入射面及び出射面の少なくともいずれか一方に平面形状である平面部を有している透過部材において、平面部の少なくとも一部にモスアイ構造を有する構成とすることができる。
【００２３】
例えば、図１に示されるように、ＩＲカットフィルタ２６の入射面及び出射面、カバーガラス２７の入射面などに、モスアイ構造４１を配置する構成とすることができる。モスアイ構造は透過部材の両面に形成されていても片面のみに形成されていてもよい。第２レンズ２２の出射面や第３レンズ２３の入射面も平面であるため、これらの面にもモスアイ構造を形成することができる。
【００２４】
このように透過部材の平面部にモスアイ構造を形成する場合、モスアイ構造を容易に形成することができる。なぜならば、モスアイ構造を透過部材の本体とは別に作製して本体に取り付ける場合に、本体の取付面が平面であれば取り付けが容易になるためである。例えばモスアイ構造が形成されたシートを貼り付けることでモスアイ構造を有する透過部材を作製できる。
【００２５】
また、モスアイ構造を透過部材の本体と一体に設ける場合も、モスアイ構造の突起が延び出す方向が同一方向になるため、モスアイ構造の形成が容易に実現できる。
＜曲面へのモスアイ構造の配置＞
上述した各レンズの曲面状の表面にモスアイ構造を配置することができる。モスアイ構造を配置する曲面は、レンズの材料や成型時の温度により変化する伸縮度合に応じて適宜設定することができる。
【００２６】
具体的には、図２に示されるように、第１レンズ２１の入射面２１ａに、モスアイ構造４２を配置する構成とすることができる。
相対的に曲率の小さいレンズ表面にモスアイ構造を配置することで、相対的に曲率の大きいレンズ表面にモスアイ構造を配置する場合と比較して、モスアイ構造を容易に形成することができる。その理由は、上述したように平面においてモスアイ構造の形成が容易であることと同様である。
【００２７】
＜対向する平面へのモスアイ構造の配置＞
上述した複数の透過部材における、以下の条件を満たした表面にモスアイ構造を配置することができる。
（ｉ）光が通過する順に並ぶ２つの透過部材の向かい合う２つの面であること
（ｉｉ）向かい合う２つの面がいずれも平面形状であること
（ｉｉｉ）向かい合う２つの面が平行であること
本実施形態においては、図２に示されるように、第２レンズ２２の出射面２２ａと第３レンズ２３の入射面２３ａとが上述した条件を満たしており、入射面２３ａにおいてモスアイ構造４３が配置される。
【００２８】
上述した条件を満たした平面は、フレアが映りこむ原因となりやすい面である。よって、このような平面がモスアイ構造を有することで、フレアの発生を抑制することができる。
【００２９】
＜光の経路となる部分へのモスアイ構造の配置＞
モスアイ構造は、上述した複数の透過部材の表面における、撮像素子１１に到達する光の経路となる部分の少なくとも一部において、配置することができる。
【００３０】
図３に示されるように、透過部材の表面のうち、撮像素子１１の撮像が可能な領域に到達する光の経路の上端を示す経路５１と、経路の下端を示す経路５２と、の間の領域においてモスアイ構造４４を配置することができる。図３の例では、第２レンズ２２の入射面の一部の領域２２ｃと、出射面の一部の領域２２ｄと、第５レンズ２５の入射面の一部の領域２５ａと、において、モスアイ構造４４が形成されている。
【００３１】
このように、光の経路ではない部分にはモスアイ構造を形成しないことで、モスアイ構造を形成することによる物理的な影響、例えば透過部材の表面の強度低下などを抑制でき、また製造コストの低減を図ることができる。
【００３２】
なお、モスアイ構造は、光の経路となる領域のみ設けられていてもよいし、光の経路とならない領域においても設けられていてもよい。
＜レンズキャップ及び間隔環が存在しない部分へのモスアイ構造の配置＞
図４に示されるように、第１レンズ２１の入射面２１ａの一部は、レンズキャップ１５に当接している。そして、第１レンズ２１は、レンズキャップ１５が当接しない部分においてモスアイ構造４５を配置することができる。また、第２レンズ２２の入射面２２ｂの一部は３１に当接している。そして、第２レンズ２２は、第１間隔環３１が当接しない部分においてモスアイ構造４５を配置することができる。
【００３３】
このように、レンズキャップ１５や第１間隔環３１が当接しない部分にモスアイ構造を形成することによって、モスアイ構造を形成することによる物理的な影響、例えばレンズの取り付け精度の低下などの影響を抑制でき、また製造コストの低減を図ることができる。
【００３４】
なお、モスアイ構造は、レンズキャップ１５や第１間隔環３１が当接しない部分にのみ設けられていてもよいし、レンズキャップ１５や第１間隔環３１が当接する部分においても設けられていてもよい。
【００３５】
［１−３．モスアイ構造を有する透過部材の構造］
モスアイ構造を有する上述した透過部材の構造は特に限定されない。以下に、その一例を挙げる。
【００３６】
＜樹脂等による一体成形＞
樹脂により形成されたレンズであって、該レンズの表面に該レンズと一体に形成されたモスアイ構造を有する構成とすることができる。なお、レンズの機能を有さない透過部材において、モスアイ構造を一体形成してもよい。またレンズやモスアイ構造を形成する素材には樹脂に限定されるものではなく、一体成形が可能である様々な素材を用いることができる。
【００３７】
例えば、図２に示される第１レンズ２１のモスアイ構造４２や第３レンズ２３のモスアイ構造４３を、金型を用いた射出成型などにより形成することが考えられる。
このようにモスアイ構造を透過部材に一体に形成することで、透過部材の本体部分とモスアイ構造との間における屈折率の変化を低減でき、高度に光の反射を抑制することができる。ここでいう本体部分とは、レンズにおける少なくともモスアイ構造の部分を除く、レンズとしての機能を発揮するために必要な部分である。
【００３８】
＜ガラスと樹脂レンズとの組み合わせ＞
上述した各レンズの１つ以上を、ガラスと樹脂製のレンズ部材との組み合わせにより形成することができる。
【００３９】
図５に示されるレンズ７１は、平板状のガラス７２と、該ガラス７２の表面に配置される樹脂製のレンズ部材７３と、を含むように構成することができる。レンズ部材７３は、ガラス７２に当接する側の面７３ａが平面状であり、反対側の面７３ｂが曲面状である。レンズ部材７３は面７３ｂにモスアイ構造７４が形成されており、これによりレンズ７１全体としては表面にモスアイ構造を有することとなる。レンズ７１はレンズ部材７３の形状を変化させることで凹レンズにすることも可能であり、またガラス７２の両面にレンズ部材７３を配置することもできる。なお、このレンズ７１の構造は撮像装置１の上述した各レンズのいずれにも適用することができる。
【００４０】
このように、ガラス部材にモスアイ構造が形成されたレンズ部材を取り付けることで、容易にモスアイ構造を有するレンズを作製することができる。
また、図６に示されるレンズ８１は、ガラスにより形成されたレンズ部８２の表面に、モスアイ構造８３が形成された樹脂膜８４が配置されている。樹脂膜８４及びモスアイ構造８３はレンズ８１の表面全体に形成されていてもよいし、光の入射面及び出射面の少なくともいずれか一方の表面に形成されていてもよい。なお、このレンズ８１の構造は撮像装置１の上述した各レンズのいずれにも適用することができる。
【００４１】
［１−４．型抜きをスムーズに行うための構成及び方法］
＜柔軟性の高い樹脂により形成されたモスアイ構造＞
入射面及び出射面の少なくともいずれか一方の表面が曲面形状であるレンズにおいて、該表面に、当該レンズの本体部分よりも柔軟性の高い樹脂によりモスアイ構造を形成することが考えられる。ここでいう本体部分とは、少なくともモスアイ構造の部分を除く、レンズとしての機能を発揮するために必要な部分である。
【００４２】
例えば図７に示されるように、第１レンズ２１の出射面２１ｂのように曲率が大きい面においてモスアイ構造９１を形成する場合において、モスアイ構造９１を第１レンズ２１の本体部分よりも柔らかい樹脂を用いることが考えられる。
【００４３】
例えば、第１レンズ２１の本体部分をガラスで形成し、モスアイ構造９１を、シクロオレフィンポリマー、ポリカーボネート、ポリエステル等のガラスよりも柔らかい樹脂で形成することができる。
【００４４】
このように第１レンズ２１を構成することで、第１レンズ２１を成型する際の型抜き工程において、モスアイ構造９１の部分の型抜きをスムーズに行うことができる。
＜型の分割＞
図８に示されるように、レンズ１０１の凸形の表面１０２において成型によりモスアイ構造１０３を形成する場合には、複数の型１０４〜１０６を用いて成型を行うことができる。このようにモスアイ構造１０３を形成する場合には、型１０４〜１０６ごとに型抜きの方向を変化させることができるため、モスアイ構造１０２の突起の突出方向を型ごとに変化させることができる。
【００４５】
＜モスアイ構造が柔軟な状態での型抜き＞
モスアイ構造の部分が条件により柔軟性が変化する材料により形成されている場合には、柔軟性が高くなる条件において型抜きを行うことができる。例えば所定の温度のときに柔軟性が高くなる材料でモスアイ構造が形成されている場合には、その温度条件下で型抜きを行うことが考えられる。
【００４６】
［１−５．透過部材以外の部材が有するモスアイ構造］
図１に示されるように、リテーナー１６、第１間隔環３１の内周面にモスアイ構造１１１を形成してもよい。
【００４７】
このような構成によれば、モスアイ構造によってリテーナー１６及び第１間隔環３１の内側面において光の反射を抑制できる。
［１−６．効果］
以上詳述した実施形態によれば、以下の効果が得られる。
【００４８】
（１ａ）撮像装置１は、光学系である透過部材にモスアイ構造を有しているため、透過部材の入射面や出射面での反射を抑制できる。よって、撮像素子により出力される画像信号に示される被写体の撮像画像を、ゴーストやフレアの抑制された品質の高い撮像画像とすることができる。撮像装置１は車両に搭載されるため、ゴースト、フレアが生じ易い状況で用いられることが多いが、上述したようにゴースト、フレアが抑制されるため、撮像画像のノイズを低減することができる。撮像画像から障害物や標識等を認識する処理を行う場合には、その認識精度を向上させることができる。
【００４９】
（１ｂ）撮像装置１では、モスアイ構造によりレンズの透過率が上がることで、感度を上昇させることができる。
（１ｃ）レンズ設計においてはフレア対策と解像度がトレードオフであるが、モスアイ構造により反射が抑制されるため、フレア対策の比重を低減でき、解像度重視の設計を行うことができる。また、レンズの設計自由度が向上し、レンズ枚数を減らしたり、非球面レンズの使用を抑制したりすることができる。
【００５０】
（１ｄ）撮像装置１は、リテーナー１６及び第１間隔環３１においても表面１０２にモスアイ構造１１１を有しているため、より高度にゴーストやフレアの抑制を実現できる。
［２．他の実施形態］
以上、本開示の実施形態について説明したが、本開示は上述の実施形態に限定されることなく、種々変形して実施することができる。
【００５１】
（２ａ）上記実施形態では、レンズバレル１４に取り付けられた各レンズやＩＲカットフィルタ２６、カバーガラス２７にモスアイ構造が配置される構成を例示したが、モスアイ構造が配置される位置は上記の構成に限定されるものではない。例えば、撮像装置がオンチップレンズを有している場合は、その表面にモスアイ構造を形成してもよい。
【００５２】
（２ｂ）複数のレンズを有している撮像装置は、樹脂製のレンズの表面においてのみ、モスアイ構造が配置されていてもよい。
（２ｃ）上記実施形態では、ＩＲカットフィルタ２６を備える構成を例示したが、ローパスフィルタ等の他のフィルタを用いる構成であってもよい。
【００５３】
（２ｄ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００５４】
（２ｅ）上述した撮像装置の他、当該撮像装置の構成要素である透過部材、透過部材の製造方法など、種々の形態で本発明を実現することもできる。
【符号の説明】
【００５５】
１…撮像装置、１１…撮像素子、１２…ハウジング、２１…第１レンズ、２２…第２レンズ、２３…第３レンズ、２４…第４レンズ、２５…第５レンズ、２６…ＩＲカットフィルタ、２７…カバーガラス、４１，４２，４３，４４，４５，７４，８３，９１，１０３…モスアイ構造
【図１】
2018077304.tif 000003
【図２】
2018077304.tif 000004
【図３】
2018077304.tif 000005
【図４】
2018077304.tif 000006
【図５】
2018077304.tif 000007
【図６】
2018077304.tif 000008
【図７】
2018077304.tif 000009
【図８】
2018077304.tif 000010